(57)【要約】【課題】ノード装置における運用情報の消失に対する耐性を高め、監視装置における運用情報の取得にかかる時間を短縮し得る伝送システムとその監視装置およびノード装置を提供する。【解決手段】監視装置３の補助記憶領域６６にノード１−１の運用に必要な運用情報６６ａを保持させる。そして、例えばノード１−１の起動の際に、運用情報６６ａを監視装置３の補助記憶領域６６からノード１−１の主記憶領域６７にロードするようにしている。また監視装置３に保持される運用情報６６ａと、ノード１−１〜１−ｎの記憶される運用情報６７ａとを同期させる。さらに、複数の監視装置３にそれぞれ保持される運用情報６６ａを、互いに同期させるようにした。【選択図】　　　図２
2004140573.tif 000002
【特許請求の範囲】
【請求項１】
ネットワークを形成する複数のノード装置と、前記ネットワークに対してＯＡＭ（Ｏｐｅｒａｔｉｏｎｓ，　Ａｄｍｉｎｉｓｔｒａｔｉｏｎ　ａｎｄ　Ｍａｉｎｔｅｎａｎｃｅ）サービスを提供する監視装置とを備える伝送システムにおいて、
前記監視装置は、
前記ノード装置の運用に係わる運用情報を記憶する補助記憶手段を備え、
前記ノード装置は、
自装置の運用に係わる前記運用情報を前記補助記憶手段から取得する情報取得手段と、
この情報取得手段で取得された運用情報を記憶する主記憶手段とを備えることを特徴とする伝送システム。
【請求項２】
前記情報取得手段は、自ノード装置の起動の際に前記運用情報を取得することを特徴とする請求項１に記載の伝送システム。
【請求項３】
前記監視装置の補助記憶手段に記憶される運用情報と、前記ノード装置の主記憶手段に記憶される運用情報とを互いに同期させる同期手段を具備することを特徴とする請求項１に記載の伝送システム。
【請求項４】
前記同期手段は、前記監視装置の補助記憶手段に記憶される運用情報が更新された場合に、前記情報取得手段に当該更新された運用情報を取得させて前記ノード装置の主記憶手段に記憶される運用情報を当該更新された運用情報に同期させることを特徴とする請求項３に記載の伝送システム。
【請求項５】
前記複数のノード装置のそれぞれは、
自装置の主記憶手段に記憶される運用情報が変更された場合に、その旨を前記同期手段に通知する通知手段を備え、
前記同期手段は、この通知手段から通知を受けた場合に、前記監視装置の補助記憶手段に記憶される運用情報を通知元ノード装置の主記憶手段に記憶される運用情報に同期させることを特徴とする請求項３に記載の伝送システム。
【請求項６】
前記監視装置は、
自装置の補助記憶手段に記憶される運用情報を読み出す読み出し手段と、
この読み出し手段で読み出された運用情報を、自装置を操作するオペレータにより指定された条件で処理して出力する出力手段とを備えることを特徴とする請求項１に記載の伝送システム。
【請求項７】
前記監視装置を複数備え、
これらの複数の監視装置のそれぞれは、自装置の補助記憶手段に記憶される運用情報を他の監視装置の補助記憶手段に記憶される運用情報に同期させる同期手段を備えることを特徴とする請求項１に記載の伝送システム。
【請求項８】
複数のノード装置を備えて形成されるネットワークに対してＯＡＭ（Ｏｐｅｒａｔｉｏｎｓ，　Ａｄｍｉｎｉｓｔｒａｔｉｏｎ　ａｎｄ　Ｍａｉｎｔｅｎａｎｃｅ）サービスを提供する監視装置において、
前記ノード装置の運用に係わる運用情報をに記憶する補助記憶手段を備えることを特徴とする監視装置。
【請求項９】
自装置の補助記憶手段に記憶される運用情報を読み出す読み出し手段と、
この読み出し手段で読み出された運用情報を、自装置の操作入力により指定された条件で処理して出力する出力手段とを備えることを特徴とする請求項８に記載の監視装置。
【請求項１０】
前記補助記憶手段を備える他の監視装置が存在する場合に、自装置の補助記憶手段に記憶される運用情報を当該他の監視装置の補助記憶手段に記憶される運用情報に同期させる同期手段を備えることを特徴とする請求項８に記載の監視装置。
【請求項１１】
ネットワークを形成する複数のノード装置と、当該ノード装置の運用に係わる運用情報をに記憶する補助記憶手段を備える監視装置とを備える伝送システムに備えられる前記ノード装置であって、
前記運用情報を前記補助記憶手段から取得する情報取得手段と、
この情報取得手段で取得された運用情報をに記憶する主記憶手段とを備えることを特徴とするノード装置。
【請求項１２】
前記情報取得手段は、自ノード装置の起動の際に前記運用情報を取得することを特徴とする請求項１１に記載のノード装置。
【請求項１３】
さらに、自装置の主記憶手段に記憶される運用情報が変更された場合に、その旨を前記監視装置に通知する通知手段を備えることを特徴とする請求項１１に記載のノード装置。
【発明の詳細な説明】
【０００１】
【発明の属する技術分野】
本発明は、ＳＤＨ（Ｓｙｎｃｈｒｏｎｏｕｓ　Ｄｉｇｉｔａｌ　Ｈｉｅｒａｒｃｈｙ）／ＳＯＮＥＴ（Ｓｙｎｃｈｒｏｎｏｕｓ　Ｏｐｔｉｃａｌ　Ｎｅｔｗｏｒｋ）などの規格に準拠する伝送システムと、この伝送システムに備えられる監視装置およびノード装置に関する。
【０００２】
【従来の技術】
この種のシステムは、情報伝送を担う伝送装置（以下ノード装置と称する）と、システムに対してＯＡＭ（Ｏｐｅｒａｔｉｏｎｓ，　Ａｄｍｉｎｉｓｔｒａｔｉｏｎ　ａｎｄ　Ｍａｉｎｔｅｎａｎｃｅ）サービスを提供する監視装置とを備える。システムが健全に動作するためには、情報通信経路であるパスの設定状態を示す情報や各種パラメータなど（以下、運用情報と総称する）をデータベース化し、管理する必要がある。
【０００３】
ところで、従来のシステムにおいては、運用情報は各ノード装置においてそれぞれ自律的に保持され、管理される。運用情報は、ノード装置の起動時にその主記憶領域にロードされる。よって、オペレータのデータ管理やノード装置の設定などのため監視装置側で運用情報が必要となった場合、その都度監視装置がノード装置から運用情報を取得する必要がある。このため取得すべきデータの量、ネットワークの状態、または相手方ノード装置の動作状態などにより、データの取得処理の開始から完了までに長時間を要する場合が有る。
【０００４】
また、ハードウェア故障などによりノード装置に保持されるデータが消失する場合がある。このような事態を生じるとオペレータによりデータを再入力する他はなく、そのための手間が煩雑である。もちろん、データ入力作業の間はネットワークの運用が停止することになる。
【０００５】
【発明が解決しようとする課題】
このように従来の伝送システムは、運用情報をノード装置側において保持するようにしていたため、監視装置において運用情報の取得にかかる時間が長くなり易く、このため例えばＧＵＩ（Ｇｒａｐｈｉｃａｌ　Ｕｓｅｒ　Ｉｎｔｅｒｆａｃｅ）表示などの際に不便である。またノード装置に保持される運用情報が消失すると、システムを健全な状態に戻すために非常に煩雑な手間を必要とし、さらにネットワークの運用が停止する期間も長期に及ぶという不具合が有る。
【０００６】
本発明は上記事情によりなされたもので、その目的は、ノード装置における運用情報の消失に対する耐性を高め、監視装置における運用情報の取得にかかる時間を短縮し得る伝送システムとその監視装置およびノード装置を提供することにある。
【０００７】
【課題を解決するための手段】
上記目的を達成するために本発明は、ネットワークを形成する複数のノード装置と、前記ネットワークに対してＯＡＭサービスを提供する監視装置とを備える伝送システムにおいて、前記監視装置は、前記ノード装置の運用に係わる運用情報をに記憶する補助記憶手段を備え、前記ノード装置のそれぞれは、自装置の運用に係わる前記運用情報を前記補助記憶手段から取得する情報取得手段と、この情報取得手段で取得された運用情報をに記憶する主記憶手段とを備えることを特徴とする。
【０００８】
このような手段を講じたことにより、ノード装置において運用情報が消失した場合でも、情報取得手段により監視装置から運用情報をリロードすることによりノード装置は直ちに運用を再開することができるようになり、従って情報消失に対する耐性を高めることが可能になる。
【０００９】
また本発明において前記監視装置は、自装置の補助記憶手段に記憶される運用情報を読み出す読み出し手段と、この読み出し手段で読み出された運用情報を、自装置を操作するオペレータなどによる操作入力により指定された条件で処理して出力する出力手段とを備えることを特徴とする。
【００１０】
このように構成することで、オペレータのデータ管理やノード装置の設定などのため監視装置側で運用情報が必要となった場合には、監視装置が自装置の補助記憶手段から運用情報を取得すればよい。これにより監視装置において運用情報の取得にかかる時間を短縮することが可能になる。
【００１１】
【発明の実施の形態】
以下、図面を参照して本発明の実施の形態を詳細に説明する。この実施形態では、世界標準としてのＳＤＨ（Ｓｙｎｃｈｒｏｎｏｕｓ　Ｄｉｇｉｔａｌ　Ｈｉｅｒａｒｃｈｙ　）に即したシステムを想定する。
【００１２】
図１は、本発明の実施の形態に係わる伝送システムの一構成例を示すシステム図である。このシステムは、例えば海洋を隔てて設置される複数の局舎（Ｓｔａｔｉｏｎ）ＳＴ−１〜ＳＴ−ｍを備える。各局舎ＳＴ−１〜ＳＴ−ｍは、それぞれ複数のノード装置（ＮＯＤＥ：以下ノードと称する）１−１〜１−ｎを備える。
【００１３】
ノード１−１〜１−ｎは局舎間を跨る高速回線ＯＦによりリング状に接続され、複数のノード１−１間、ノード１−２間，…，ノード１−ｎ間でリングネットワークが形成される。各リングネットワークは、それぞれＡＰＳ（Ａｕｔｏｍａｔｉｃ　Ｐｒｏｔｅｃｔｉｏｎ　Ｓｗｉｔｃｈｉｎｇ）と称されるサービストラフィックのセルフヒーリング機能を備える。
【００１４】
ノード１−１間，１−２間，…，および１−ｎ間を結ぶ高速回線ＯＦは、各リングネットワークに割り当てられた波長の光信号を伝送する。すなわち伝送波長はリングネットワークごとに互いに異なり、これらの波長が多重されて波長多重回線ＦＬが形成される。高速回線ＯＦのインタフェースには、ＳＤＨに準拠する例えばＳＴＭ−６４（Ｓｙｎｃｈｒｏｎｏｕｓ　Ｔｒａｎｓｆｅｒ　Ｍｏｄｕｌｅ−ｌｅｖｅｌ　６４：１０Ｇｂｐｓに相当）などが採用される。
【００１５】
局舎ＳＴ−１〜ＳＴ−ｍにおけるノード１−１〜１−ｎは、各局舎内においてそれぞれ局舎内監視装置（ＳＳＥ）２に接続される。ＳＳＥ２は、ＬＡＮ（Ｌｏｃａｌ　ａｒｅａ　Ｎｅｔｗｏｒｋ）を介して監視装置（ＮＭＥ）３に接続される。監視装置３は網内全域に渡りＯＡＭサービスを提供する。ＬＡＮにはルータ（Ｒｏｕｔｅｒ）４が接続され、ルータ４を介して各局舎の監視装置３同士を結ぶ管理ネットワークＭＬが形成される。管理ネットワークＭＬは、論理的には波長多重回線ＦＬを介して伝送されるＳＤＨフレームのＳＯＨ（Ｓｅｃｔｉｏｎ　Ｏｖｅｒ　Ｈｅａｄ　）におけるＤＣＣ（Ｄａｔａ　Ｃｏｍｍｕｎｉｃａｔｉｏｎ　Ｃｈａｎｎｅｌ）などとして実現される。
【００１６】
図２は、図１に示される監視装置３の構成を示すブロック図である。監視装置３は、ヒューマンマシンインタフェースとしての入出力部６１と、表示部６２と、ＬＡＮを介してＳＳＥ２およびルータ４との接続インタフェースをとるインタフェース部（ＬＡＮ　Ｉ／Ｆ）６３と、各種動作プログラムなどを記憶する記憶部６４と、制御部６５とを備える。
【００１７】
記憶部６４は、運用情報６６ａが保持される補助記憶領域６６を備える。
制御部６５は、同期処理部６５ａと、読み出し処理部６５ｂと、出力制御部６５ｃとを備える。同期処理部６５ａは、補助記憶領域６６に保持される運用情報６６ａと、ノード１−１〜１−ｎに記憶される運用情報（後述する）とを互いに同期させ、これらの情報の整合をとる。また同期処理部６５ａは、監視装置３（自装置）の補助記憶領域６６に保持される運用情報６６ａが更新された場合に、対応するノードにこの更新された運用情報を取得させて当該ノードに記憶される運用情報を当該更新された運用情報に同期させる。
【００１８】
また同期処理部６５ａは、いずれかのノードから当該ノードにおける運用情報が変更された旨の通知を受けた場合に、自装置の補助記憶領域６６に保持される運用情報６６ａを通知元ノードに記憶される運用情報に同期させる。さらに同期処理部６５ａは、自装置の補助記憶領域６６に保持される運用情報６６ａを、他の監視装置３の補助記憶領域６６に保持される運用情報６６ａに同期させるための処理も行なう。
【００１９】
読み出し処理部６５ｂは、補助記憶領域６６に記憶される運用情報６６ａを読み出す。出力制御部６５ｃは、この読み出された運用情報に対して、自装置を操作するオペレータにより指定された条件でソーティングなどの処理を施し、その結果を例えば表示部６２に表示させる。
【００２０】
図３は、図１におけるノード１−１〜１−ｎの構成を示す図である。ここではノード１−１を代表させるが、他のノード１−２〜１−ｎも同様の構成である。図２において、サービスラインＳＬは、Ｅａｓｔ側において送受信モジュール１０に、Ｗｅｓｔ側において送受信モジュール１２に接続される。プロテクションラインＰＬは、Ｅａｓｔ側において送受信モジュール１１に、Ｗｅｓｔ側において送受信モジュール１３に接続される。すなわち、送受信モジュール１０，１２は現用系に属し、送受信モジュール１１，１３は予備系に属する。各送受信モジュール１０〜１３は、図示しない基板に実装される。
【００２１】
送受信モジュール１０〜１３を介して装置内部に導入されるＳＴＭ−６４信号は、タイムスロット交換部（ＴＳＡ：Ｔｉｍｅ　Ｓｌｏｔ　Ａｓｓｉｇｎｍｅｎｔ）２０１と、タイムスロット交換部２０２とに与えられる。タイムスロット交換部２０１，２０２は、ＳＴＭ−６４信号に時分割多重されたタイムスロットのうち所定のタイムスロットをドロップする。このドロップされたスロットは、トリビュタリインタフェース（ＬＳ　Ｉ／Ｆ）シェルフ３１〜３ｋを介して、低次群信号としてトリビュタリ伝送路ＬＬから送出される。
【００２２】
これに対し、トリビュタリ伝送路ＬＬからＬＳ　Ｉ／Ｆシェルフ３１〜３ｋを介して装置内部に導入される低次群信号は、タイムスロット交換部２０１，２０２に与えられ、ＳＴＭ−６４フレームの所定のタイムスロットにアッドされて、高速回線ＯＦを介して他のノードに向け送出される。
【００２３】
タイムスロット交換部２０１と、タイムスロット交換部２０２とは、対を成して二重化されている。タイムスロット交換部２０１は、システムの定常時における現用系として動作される。このタイムスロット交換部２０１に障害が生じた場合には、タイムスロット交換部２０２がタイムスロット交換部２０１の代わりに動作される。このようにして、装置内冗長が実現される。
【００２４】
なお、システム正常時には、タイムスロット交換部２０２はパートタイムトラフィック（Ｐ／Ｔ）の伝送に係わるように動作される。パートタイムトラフィックとは、サービスラインＳＬを流れるサービストラフィックとは異なる情報を載せた信号である。システム正常時には、無障害のためプロテクションラインＰＬが空きとなる。パートタイムトラフィックはこの帯域を利用して伝送されるトラフィックであり、サービストラフィックよりも優先度の低いトラフィックとして取り扱われる。
【００２５】
このほか、図３のノードＮ１は、制御部５と、各種の制御プログラムなどを記憶する記憶部６と、ＳＳＥ２とのインタフェースをとる管理網インタフェース（Ｉ／Ｆ）７とを備える。
【００２６】
記憶部６は、運用情報６７ａが保持される主記憶領域６７を備える。
制御部５は、情報取得処理部５ａと、通知処理部５ｂとを備える。情報取得処理部５ａは、監視装置３の補助記憶領域６６に保持される運用情報６６ａを取得し、自ノードの主記憶領域６７の記憶する。すなわち、監視装置３の補助記憶領域６６に保持される運用情報６６ａと、ノード１−１の主記憶領域６７に記憶される運用情報６７ａとは、同じ内容を有する。また情報取得処理部５ａが監視装置３から運用情報６６ａを取得する契機は、例えばノード１−１の起動時である。通知処理部５ｂは、自装置の主記憶領域６７に記憶される運用情報６７ａが変更された場合に、その旨を監視装置３に通知する。
【００２７】
なお、運用情報６６ａ、６７ａの具体例としては、システム内に設定されるパスの設定状態情報がある。この情報はリングマップ、あるいはファブリックと称して知られ、パス設定状態の変更に応じて更新される。このほか、各ノード１−１〜１−ｎから監視装置３に通知される通知情報（Ｎｏｔｉｆｉｃａｔｉｏｎ）の設定データなどが運用情報６６ａ、６７ａの具体例として挙げられる。通知情報の設定データとは、複数ある通知情報ごとにその重要度、通知の可否などを設定したデータである。これらの情報は、例えば上記ＡＰＳが正常に動作するためにも必要となるものであるので、ノードそれ自体だけでなくシステム全体の運用に際しても必要となる。
【００２８】
また、監視装置３の同期処理部６５ａ、読み出し処理部６５ｂ、出力制御部６５ｃ、およびノード装置の情報取得処理部５ａ、通知処理部５ｂは、いずれも、例えばＣＰＵ（Ｃｅｎｔｒａｌ　Ｐｒｏｃｅｓｓｉｎｇ　Ｕｎｉｔ）のソフトウェア処理を中核として他のハードウェアとの協調動作により実現される機能オブジェクトである。
【００２９】
図４は、上記構成における監視装置３からノード１−１に対するデータロードの様子を示す模式図である。本実施形態においては、監視装置３の補助記憶領域６６にノード１−１の運用に必要な運用情報、ひいてはシステム自体の運用に必要となる運用情報６６ａを保持させる。そして、例えばノード１−１の起動の際に、運用情報６６ａを監視装置３の補助記憶領域６６からノード１−１の主記憶領域６７にロードするようにしている。
【００３０】
このように、運用情報６６ａを記憶する補助記憶領域６６を監視装置３側に備えることにより運用情報を容易に冗長化することができ、したがってデータ破壊に対して堅牢なアーキテクチャを形成することが可能になる。
【００３１】
図５は、上記構成における監視装置３において運用情報が変更された場合にノード１−１に対して運用情報の変更が反映される様子を示す模式図である。オペレータが、表示部６２の操作画面上のＧＵＩなどを用いて、監視装置３に記憶されるノード１−１の運用情報を更新すると、まず補助記憶領域６６における運用情報６６ａが変更される。そしてデータ変更処理が完了したのちに、オペレータが操作画面上のクリッカブルボタンをクリックすることなどにより、変更後の運用情報がノード１−１に転送される。このようにして、ノード１−１の主記憶領域６７に記憶される運用情報６７ａが更新される。
【００３２】
運用情報が各ノードにおいてのみ保持される従来のアーキテクチャでは、ノード側における運用情報を監視装置３側において変更するには、多種多様なデータを設定するたびに、その都度ノードにデータを送る方式がとられる。このためデータ転送にかかるシーケンス処理などが煩雑で、データ更新処理の完了までに長時間を要する。これに対して本実施形態によれば、データ変更処理が全てのデータにつき完了したのちに、その結果をノード装置に纏めて送ることが可能となる。したがって運用情報の変更処理にかかる時間を大幅に短縮することが可能となる。
【００３３】
また、監視装置３において運用情報を操作画面上に表示するには、自装置内において運用情報６６ａを読み込み、表示に供すれば良い。すなわち従来のシステムのようにノードから表示用データを取得する必要が無く、よって表示速度の大幅な向上を期待できる。
【００３４】
図６は、上記構成における監視装置３において運用情報が変更された場合に、他の監視装置３に対して運用情報の変更が反映される様子を示す模式図である。システム内において少なくとも１つの監視装置３において運用情報６６ａを保持する補助記憶領域６６を設けることにより、本発明の主たる目的は達成される。しかしながら監視装置３とノードとの通信路に障害が発生したり、監視装置３そのものに障害が発生した場合などは、ノードから補助記憶領域６６を参照することができなくなり、ノードの起動時などに支障を生じる。
【００３５】
これを回避するため本実施形態では、複数の監視装置３に同一の運用情報６６ａデータを保持する補助記憶領域６６を持たせ、データのシステム的な冗長化を図るようにする。一般にデータを冗長化した場合、相互の冗長データを同一とすべく同期化を図る必要がある。
【００３６】
図６においては、２つの監視装置間におけるデータ同期を説明する。ここでは２つの監視装置にＸ、およびＹなる符号を付して説明する。図６の監視装置Ｘにおいて、オペレータにより監視装置Ｘに記憶される運用情報が更新されると、まず補助記憶領域６６における運用情報６６ａが変更される。そうすると、ただちに変更されたデータが監視装置Ｙに転送され、これに応じて監視装置Ｙの補助記憶領域６６に記憶される運用情報６６ａが更新される。これにより監視装置ＸおよびＹにおける運用情報６６ａの同期が維持される。
【００３７】
図７は、図６の模式図における手順を説明するためのフローチャートである。図７において、監視装置Ｘ側で運用情報が変更されると（ステップＳ１）、表示画面においてオペレータに対するデータ同期の可否が問い合わされる（ステップＳ２）。同期処理を行なうならば、監視装置Ｙの状態が確認される（ステップＳ３）。監視装置Ｙの状態が確認できない場合、確認が正常に行なわれるまでポーリングまたは通知処理が継続される（ステップＳ４）。
【００３８】
監視装置Ｙが正常であれば、次に、監視装置Ｙにおいて運用情報に対するデータ操作がなされているか否かが問い合わせられる（ステップＳ５）。もしもデータ操作中であれば（ステップＳ６においてＹ）、監視装置Ｘからデータ同期処理要求が発せられている旨を示す警告画面が、監視装置Ｙの表示画面に表示される（ステップＳ７）。データ操作中でなければ（ステップＳ６においてＮ）、監視装置Ｙにおいて同期処理の可否がオペレータに問い合わせられる（ステップＳ８）。ここで同期不可であれば（ステップＳ８でＮ）、その旨を示す警告画面（ＮＧ）が監視装置Ｙの表示画面に表示された（ステップＳ９）のち、同期不可の旨が監視装置Ｘに通知される。また同期処理が許可された場合（ステップＳ８でＹ）も、その旨が監視装置Ｘに通知される。
【００３９】
次に、監視装置Ｘ側において、監視装置Ｙから同期処理の許可または不許可のいずれが通知されたかが判定される（ステップＳ１０）。このステップで、同期処理が許可されない旨が判定された（ステップＳ１０でＮ）場合には、監視装置Ｘの表示画面に警告が表示される（ステップＳ１１）。
【００４０】
一方、ステップＳ１０で同期処理が許可される旨が判定された（ステップＳ１０でＹ）場合には、監視装置Ｘから監視装置Ｙに対して、更新された運用情報６６ａにかかるデータが転送される。そうして、監視装置Ｙ側において同期処理が完了し（ステップＳ１２）、表示画面の表示内容にデータ更新の旨が反映される（ステップＳ１３）。
【００４１】
図８は、本実施形態において、図５または図６において示されるデータ同期方式を補完するための手順を示す模式図である。ネットワークが定常的な状態、すなわち補助記憶領域６６を備える監視装置３がシステムに正常に接続されている場合には、図５またはず６に示される手順のみで複数の運用情報間のデータの同期が保証される。しかしながら、例えば同期される側の監視装置Ｙが未起動である、あるいはネットワークから切り離されているなどにより、同期する側の監視装置Ｘが監視装置Ｙと通信できない状態にあると、上記手順ではデータの同期をとることができず、監視装置Ｘ，Ｙ間でデータの不一致が発生する。
【００４２】
図８は、このような場合に補助記憶領域間のデータを同期させるための手順を示す。図８において、監視装置Ｘ，Ｙ間の補助記憶領域６６における運用情報の更新時刻は定期的に比較される。比較の結果、各監視装置Ｘ，Ｙに保持される運用情報間で更新時刻に相違があった場合には、更新時刻の新しい側のデータが古い側に転送され、データが反映される。これにより異なる監視装置Ｘ，Ｙの補助記憶領域６６間のデータが同期される。
【００４３】
図９は、比較のため従来のシステムにおけるデータロードの様子を示す模式図である。図９に示される従来のシステムでは、ノードの起動時などには自装置内の補助記憶領域からデータがロードされるため独立性に優れる反面、補助記憶領域が破壊された時はノード装置自体が立ち上がらないなどの不都合が生じる。この場合、バックアップデータも存在しないため、運用情報を新たに手作業で構築し直す必要があり、長時間に渡ってネットワーク運用に支障を来すことになる。
【００４４】
更に、運用情報がノード側で保持されるため、監視装置３側でこれを画面に出力するためにはノードから必要なデータを取得しなければならず、特にデータ量が多い場合には表示にかかる時間が長くなるという不具合が有る。
【００４５】
これに対し本実施形態では、監視装置３の補助記憶領域６６にノード１−１の運用に必要な運用情報６６ａを保持させる。そして、例えばノード１−１の起動の際に、運用情報６６ａを監視装置３の補助記憶領域６６からノード１−１の主記憶領域６７にロードするようにしている。また監視装置３に保持される運用情報６６ａと、ノード１−１〜１−ｎの記憶される運用情報６７ａとを同期させる。さらに、複数の監視装置３にそれぞれ保持される運用情報６６ａを、互いに同期させるようにしている。
【００４６】
このように、運用情報６６ａを記憶する補助記憶領域６６を監視装置３側に備えることにより運用情報を容易に冗長化することができ、したがってノード側において生じるデータ消失に伴う再構築が不要になり、したがってデータ破壊に対する耐性を高めることができる。また、監視装置３における運用情報の表示処理などの際にノード装置からデータを取得する必要が無くなり、監視装置３における運用情報の取得にかかる時間を短縮して、監視装置３の表示画面上でのデータ表示が迅速になる。
【００４７】
なお、本発明は上記実施の形態に限定されるものではない。例えば本実施形態ではノード１−１〜１−ｎ側において運用情報にデータ破壊を生じた場合、監視装置３からデータをロードするようにしているが、これとは逆に、監視装置３に保持される運用情報にデータ破壊を生じた場合には、ノード１−１〜１−ｎ側からデータをロードして監視装置３の運用情報を健全な状態に保つようにしても良い。このほか、本発明の要旨を逸脱しない範囲で種々の変形実施を行うことができる。
【００４８】
【発明の効果】
以上詳述したように本発明によれば、ノード装置における運用情報の消失に対する耐性を高め、監視装置における運用情報の取得にかかる時間を短縮し得る伝送システムとその監視装置およびノード装置を提供することができる。
【図面の簡単な説明】
【図１】本発明の実施の形態に係わる伝送システムの一構成例を示すシステム図。
【図２】図１に示される監視装置３の構成を示すブロック図。
【図３】図１に示されるノード１−１〜１−ｎの構成を示す図。
【図４】本発明の実施形態において監視装置３からノード１−１に対するデータロードの様子を示す模式図。
【図５】本発明の実施形態における監視装置３において運用情報が変更された場合にノード１−１に対して運用情報の変更が反映される様子を示す模式図。
【図６】本発明の実施形態における監視装置３において運用情報が変更された場合に、他の監視装置３に対して運用情報の変更が反映される様子を示す模式図。
【図７】図６の模式図における手順を説明するためのフローチャート。
【図８】本発明の実施形態において、図５または図６において示されるデータ同期方式を補完するための手順を示す模式図。
【図９】比較のため従来のシステムにおけるデータロードの様子を示す模式図。
【符号の説明】
ＳＴ…局舎
ＯＦ…高速回線
ＦＬ…波長多重回線
ＭＬ…管理ネットワーク
ＳＬ…サービスライン
ＰＬ…プロテクションライン
ＬＬ…トリビュタリ伝送路
１−１〜１−ｎ…ノード
２…局舎内監視装置（ＳＳＥ）
３…監視装置（ＮＭＥ）
４…ルータ
５…制御部
５ａ…情報取得処理部
５ｂ…通知処理部
６…記憶部
７…管理網インタフェース
１０…送受信モジュール
１０〜１３…送受信モジュール
３１〜３ｋ…トリビュタリインタフェースシェルフ
６１…入出力部
６２…表示部
６３…インタフェース部
６４…記憶部
６５…制御部
６５ａ…同期処理部
６５ｂ…読み出し処理部
６５ｃ…出力制御部
６６…補助記憶領域
６６ａ，６７ａ…運用情報
６７…主記憶領域
６７ａ…運用情報
２０１，２０２…タイムスロット交換部
【図１】
2004140573.tif 000003
【図２】
2004140573.tif 000004
【図３】
2004140573.tif 000005
【図４】
2004140573.tif 000006
【図５】
2004140573.tif 000007
【図６】
2004140573.tif 000008
【図７】
2004140573.tif 000009
【図８】
2004140573.tif 000010
【図９】
2004140573.tif 000011